(57)【要約】      （修正有）【解決手段】家庭用水耕栽培は、日光・水・空気・温度・養分の５条件さえかなえてやれば作物の栽培することが出来る。木製枠１で水槽を作り、養液水を入れ、作物の苗Ｂを培地の板に栽培用器７をはめて交換ポンプを使って養液水を循環して空気と共に作物に送り込んで栽培することが出来る家庭用水耕栽培装置。【効果】作物の成長する毎日が楽しむことができる。また新鮮な野菜を食べることも出来る。【選択図】図２
0003103241.tif 000002
【実用新案登録請求の範囲】
【請求項１】
木製枠（１）に栽培用養液水（Ａ）を入れる水槽をポリエステルフィルムまた成形した水槽（４）木製枠（１）に入れて上部を止金具（５）で止める止金具にスチロール板（６）を置き作物を栽培する苗（Ｂ）を栽培用器（７）をスチロール板（６）にはめて苗（Ｂ）を植えたスポンジ１３を栽培用器（７）に入れて養液水（Ａ）が苗（Ｂ）の根元の位置まで入れて交換ポンプ（１４）使って配管パイプ（１７）より空気吸込口（１８）より空気と養液水（Ａ）を作物に送り込んで栽培する。また年間栽培するので水温の低い時ヒーター（８）を使って栽培することができることを特徴とする家庭用水耕栽培装置。
【請求項２】
作物を栽培するには苗（Ｂ）を育成する日数がかかるので栽培装置の側に苗を育成用器（１２）を取付ける作物を栽培して収穫するまでに次の苗（Ｂ）を使って栽培することが出来ることを特徴とする家庭用水耕栽培装置。
【請求項３】
木製枠（１）の物入れ（２）の上部に養液水（Ａ）入れる補助タンク（９）を取付け養液水水量計（１１）により検知して補助タンク（９）より補充して栽培することが出来ることを特徴とする家庭用水耕栽培装置。
【考案の詳細な説明】
【考案の詳細な説明】
【産業上の利用分野】
【０００１】  家庭用水耕栽培装置。
【背景技術】
【０００２】  従来は家庭用水耕栽培装置は家外でハウスを使って栽培する方法ですので、室内のベランダなどで栽培出来る製品を考案する。
【考案の解決しようとする課題】
【０００３】  室内で野菜などを栽培することが出来る木製の枠に養液水を入れる水槽を作り交換ポンプを使って空気と養液水を循環して作物を栽培する方法。
【課題を解決するための手段】
【０００４】  室内に置くため木製で外観をよくすること出来るだけ小スペースにする。また音を静かな方法にする栽培品目年間栽培出来ることを取扱いが便利にする。
【作用】
【０００５】  水耕栽培ですので無農薬で栽培が出来る。老人の方でも栽培が出来、作物の成長するのが楽しむことが出来る。新鮮な野菜を食べることも出来ます。
【実施例】
【０００６】  栽培用の肥料を水で溶かして水槽に入れて作物の苗を栽培用器に入れて交換ポンプ作動して養液水を循環して空気と養液水を作物に送り出して栽培することが出来る。また年間栽培するので水温を上げるヒーターを使って栽培することも出来る。室内のベランダまたは日当たりの良い所で栽培すること種からの栽培は（図６）イ、ロの様に栽培する苗を市販のものを使用する場合（図６）ハの様に栽培する。
【考案の効果】
【０００７】  室内で栽培することが出来るので作物の成長を見るのが毎日楽しみです。また新鮮な野菜を食べることが出来ます。
【図面の簡単な説明】
【図１】  全体の斜視図
【図２】  正面図（断面図）
【図３】  平面図
【図４】  交換ポンプ取付図
【図５】  苗育成用器図
【図６】  苗の栽培法の図
【符号の説明】
（Ａ）    養液水    （イ）    種の栽培法
（Ｂ）    苗        （ロ）    種の栽培法
（Ｃ）    苗の根    （ハ）    市販の苗の栽培法
（１）    木製の枠
（２）    物入れ
（３）    脚（取りはずし出来る）
（４）    ポリエステルフィルムまた成形水槽
（５）    止金具
（６）    スチロール板（培地受板）
（７）    栽培用器
（８）    ヒーター
（９）    補助タンク
（１０）  水量計
（１１）  補助タンクコック
（１２）  苗の育成用器
（１３）  種まき培地（スポンジ）
（１４）  交換ポンプ
（１５）  エルボ
（１６）  ポンプの配管取付台
（１７）  配管パイプ
（１８）  空気吸込口
【図１】
0003103241.tif 000003
【図２】
0003103241.tif 000004
【図３】
0003103241.tif 000005
【図４】
0003103241.tif 000006
【図５】
0003103241.tif 000007
【図６】
0003103241.tif 000008
【手続補正書】
【提出日】平成16年2月4日(2004.2.4)
【手続補正１】
【補正対象書類名】実用新案登録請求の範囲
【補正対象項目名】全文
【補正方法】変更
【補正の内容】
【実用新案登録請求の範囲】
【請求項１】
木製枠（1）に栽培用養液水（A）を入れる  ポリエステルフィルム使用の水槽または成形した水槽（4）を木製枠（1）に入れて上部を金具（5）で止める。止め金具にスチロール板（6）を置き  作物栽培する苗（B）をスチロール板（6）にはめて  苗（B）を植えたスポンジ（13）を栽培容器（7）に入れる。養液水（A）を苗（B）の根元の位置まで入れて  交換ポンプ（14）を使い  配管パイプ（17）を通り空気吸込口（18）より空気と養液水（A）を作物に送り込んで栽培する。また年間栽培するので水温の低い時はヒーター（8）を使って栽培することが出来ることを特徴とする家庭用水耕栽培装置。
【請求項２】
請求項1の構造の水耕栽培装置の水槽（4）の側面に苗（B）を育成する育成容器（12）を取り付けることにより  作物を栽培すると同時に  苗を育成することが出来、作物の収穫をして育成した苗（B）を使って栽培することが出来ることを特徴とする家庭用水耕栽培装置。
【請求項３】
請求項1の構造の水耕栽培装置で作物を栽培する際  養液水（A）を補充する必要があるため  木製枠（1）の物入れ（2）の上部に養液水（A）を入れる補助タンク（9）を取り付けて供給口の水量計（10）で検知して補助タンク（9）より養液水（A）補充することを  特徴とする家庭用水耕栽培装置。
【手続補正書】
【提出日】平成16年3月31日(2004.3.31)
【手続補正１】
【補正対象書類名】実用新案登録請求の範囲
【補正対象項目名】全文
【補正方法】変更
【補正の内容】
【実用新案登録請求の範囲】
【請求項１】
家庭用水耕栽培装置において、
（1）                      
木製枠（1）に、栽培用養液水（A）を入れるポリエステルフィルム使用の水槽または  成形した水槽（4）を入れて上部を金具（5）で止める。
（2）                      
止め金具（5）にスチロール板（6）を置き、作物栽培する苗（B）を植えたスポンジ（13）を栽培容器（7）に入れ、スチロール板（6）にあけた穴にはめる。
（3）                      
養液水（A）を苗（B）の根元の位置まで入れた後、交換ポンプ（14）を使って、空気吸込口（18）より取り込んだ空気と養液水（A）を、配管パイプ（17）から作物に送り込んで栽培する。
（4）                      
年間栽培するので水温の低い時はヒーター（8）を使って栽培する。
以上からなる家庭用水耕栽培装置。
【請求項２】
請求項1の構造の水耕栽培装置の水槽（4）の側面に苗（B）を育成する育成容器（12）を取り付けることにより作物を栽培すると同時に苗を育成することが出来、作物の収穫後すぐ、育成した苗（B）を使って栽培することが出来ることを特徴とする家庭用水耕栽培装置。
【請求項３】
請求項1の構造の水耕栽培装置で作物を栽培する際、養液水（A）を補充する必要があるため、木製枠（1）の物入れ（2）の上部に養液水（A）を入れる補助タンク（9）を取り付けて供給口の水量計（10）で水量を検知して、補助タンク（9）より養液水（A）補充することを特徴とする家庭用水耕栽培装置。